(57)【特許請求の範囲】
【請求項１】
情報を表示する領域の一部を区切って独立の表示領域であることを示すフレームを、該フレームが示す表示領域内に表示情報と共に表示し、異なる複数の表示情報を複数のフレームに対応付けて表示する画面を持つウエブ閲覧装置において、
上記複数のフレームのうち選択された表示領域のフレームをはみ出す量の表示情報がメモリ中に記憶されている場合、該はみ出した未表示情報があることを示すスクロールバーを表示する情報表示部を備えて、
上記情報表示部は、
上記選択された表示領域のフレームをアクティブフレームとして識別表示し、かつ、
上記はみ出した未表示情報が上記アクティブフレームにあることを示すスクロールバーを、該アクティブフレームの表示領域以外の領域であって、該アクティブフレームの直ぐ外側の未選択領域に表示をする
ことを特徴とするウエブ閲覧装置。
【請求項２】
上記ウエブ閲覧装置は、さらに、
上記未表示情報が上記アクティブフレームの左右と上下とのいずれの方向にあるかを判定し、
上記未表示情報が左右方向にあることを判定した場合、上記アクティブフレームの上下いずれかの直ぐ外側に、上記アクティブフレームとして選択されていない領域であって上記スクロールバーを表示する空き領域があるかを調べ、
上記未表示情報が上下方向にあることを判定した場合、上記アクティブフレームの左右いずれかの直ぐ外側に、上記アクティブフレームとして選択されていない領域であって上記スクロールバーを表示する空き領域があるかを調べる表示領域判定部を備えて、
上記情報表示部は、上記表示領域判定部が空き領域があると判定した領域を上記未選択領域として、上記スクロールバーを表示することを特徴とする請求項１記載のウエブ閲覧装置。
【請求項３】
上記アクティブフレームの中でスクロールを要求するカーソル信号を検出してスクロール開始状態を判定するスクロール状態判定部と、ポインタとしてのカーソル信号を検出して上記アクティブフレームから一定距離内にポインタが近づいたことを判定するポインタ位置判定部との、いずれかを備えて、
上記情報表示部は、上記スクロール状態判定部により上記スクロール開始状態を判定された場合と上記ポインタ位置判定部により上記アクティブフレームから一定距離内にポインタが近づいたことを判定された場合との、いずれかの場合のみ、上記スクロールバーを表示することを特徴とする請求項１記載のウエブ閲覧装置。
【請求項４】
ユーザが操作する入力装置からのカーソル位置信号とカーソル移動信号とを検出する情報操作部を備えて、
上記情報表示部は、上記情報操作部がアクティブフレームの枠に上記カーソル位置信号とカーソル移動信号を同時に検出する場合に、該カーソル移動信号の方向にアクティブフレームの枠を拡大し、かつ上記未選択領域の中に表示される文字記号の表示情報を枠を拡大したアクティブフレームの中に表示される文字記号の表示情報より小さく表示することを特徴とする請求項１記載のウエブ閲覧装置。
【請求項５】
ユーザが操作する入力装置からの操作信号を検出する情報操作部を備えて、
上記情報表示部は、上記情報操作部が検出する操作信号に基づくフレーム対応に識別記号を付して表示し、かつ上記情報操作部が上記入力装置から現アクティブフレームとは異なる識別記号に対応するフレームを選択領域として指定されたことを検出すると、該指定された選択領域をアクティブフレームとして表示することを特徴とする請求項１記載のウエブ閲覧装置。
【請求項６】
情報を表示する領域の一部を区切って独立の表示領域であることを示すフレームを、該フレームが示す表示領域内に表示情報と共に表示し、異なる複数の表示情報を複数のフレームに対応付けて、画面内に表示する表示方法において、
上記複数のフレームのうち選択された表示領域のフレームをはみ出す量の表示情報がメモリ中に記憶されている場合、該はみ出した未表示情報があることを示すスクロールバーを表示するウエブ閲覧装置のウエブ情報表示方法であって、
上記選択された表示領域のフレームをアクティブフレームとして識別表示し、かつ、
上記はみ出した未表示情報が上記アクティブフレームにあることを示すスクロールバーを、該アクティブフレームの表示領域以外の領域であって、該アクティブフレームの直ぐ外側の未選択領域に表示をする
ことを特徴とするウエブ情報表示方法。
【発明の詳細な説明】
【技術分野】
【０００１】
この発明は、携帯電話や携帯情報端末などにおいて訪問先が持つ複数の画面情報を取得して、その情報を内蔵の小さな画面上で表示し、選択してＷｅｂブラウズを行う端末におけるウエブ閲覧装置に関するものである。
【背景技術】
【０００２】
インターネットから情報を取得し、Ｗｅｂブラウズを行う装置が普及している。これらはパーソナルコンピュータ上やテレビなど、多くの文字や画像情報などを表示するのに十分な大きさのディスプレイ装置を備えた環境で利用することが多い。また、これらのＷｅｂページの中にはフレームと呼ばれる１画面を複数の情報ページにより分割した表示形式をもつページが利用されており、これらの情報を表示するためには十分に大きな画面を持つことが必要である。
【０００３】
図２３は、一般的なフレーム情報の記述例とその表示例である。記述例のフレーム情報はＨＴＭＬなどのＷｅｂページ記述言語で記述され、ページを区切りレイアウトする情報や、区切りの中にどのような情報を関連付けるのかを示している。区切りに関連付けられる情報を「フレーム内ページ情報」と呼ぶことにする。画面サイズが大きく、表示できる情報量も大きい場合、フレーム内にそのままフレーム内ページ情報を表示しても問題にならない。
【０００４】
特許文献１に示す情報表示装置は、上記の複数のフレームで分割された画面を見やすく表示するために考えられた装置である。１つの画面上に、フレーム情報を簡易的に表示しておき、そのどの部分を表示しているのかを示している。そして必要な他の部分を選択すると、対応して他のフレーム画面が表示されるようになっている。
なおその他にも従来技術として、大きな画面で複数のフレームを表示し、どのフレームが選択されているかを判り易く表示する技術も多々示されているが、以下では小さな画面の必要部分を有効表示するウエブ閲覧装置を検討する。
【特許文献１】特開平１１−１０２２７３号公報
【発明の開示】
【発明が解決しようとする課題】
【０００５】
携帯電話や携帯情報端末、カーナビゲーションシステムといった小型の情報機器において、ＰＣやＴＶなど表示領域が大きく解像度の高い表示装置向けのコンテンツ、特にフレームによりページが分割されたコンテンツを表示させようとする場合、利用者にとって内容を捉えることが難しい、という課題がある。
また、画面の小さい機器でフレームを含んだページを表示させると、図２４に示すように、各フレーム内の情報が画面上に表示しきれず、それに伴ってスクロールバーの表示などが発生し、スクロールバー自体の表示領域により画面に表示できる情報量が更に低下し、内容を捉えることがより難しくなる。
また、上記特許文献１に示した構成によれば、おおまかなレイアウトを画面上にオーバーラップさせることは表示領域を隠すことになり、やはり画面表示を小さくし、効果的な情報表示を行うことができない、という課題がある。
【０００６】
この発明は上記の課題を解決するためになされたもので、表示情報を邪魔せず、小さな表示画面であっても、ユーザに優しい有効な画面表示を行うようにしたウエブ閲覧装置、方法を得ることを目的とする。
【課題を解決するための手段】
【０００７】
この発明に係るウエブ閲覧装置は、独立の領域の情報であることをそれぞれ区切って示すフレームを、このフレーム内の表示情報と共に表示し、異なるフレーム内の情報を複数フレーム分表示する画面を持つウエブ閲覧装置において、
上記表示する画面内の選択された領域のフレームをはみ出す表示情報の量がメモリ中に記憶されている場合、該はみ出した未表示情報があることを示すスクロールバーを表示制御する情報表示部を備えて、
上記情報表示部は、上記選択された領域を表すフレームとしてアクティブフレームを識別表示し、かつ上記スクロールバーを、アクティブフレームの外側の未選択領域に表示制御をするようにした。
【発明の効果】
【０００８】
以上のように、この発明のウエブ閲覧装置によれば、フレームに対するスクロールバーがフレームの外側に表示されるために、利用者が選択しているフレームの表示領域を妨げることなく、フレーム内情報の閲覧が可能になるという効果がある。
【発明を実施するための最良の形態】
【０００９】
実施の形態１．
携帯電話等の小型の表示画面を持つ電子機器であって、その小型表示画面に複数のフレーム内の情報を表示する場合を考える。
図１はこの発明の実施の形態１におけるＷｅｂ（ウエブ）閲覧装置の基本構成を示すブロック図である。図において、ウエブ閲覧装置としての携帯情報端末１とは、小型の計算機や、インターネットに接続してウエブ・ブラウズが行える機能を備えた携帯電話などを指す。この携帯情報端末１は、インターネット上のコンテンツを取得する情報受信部２を持つ。コンテンツには、ＨＴＭＬ形式で記述されたテキストファイルや、画像ファイルなど様々なデータがある。この受信コンテンツのデータを解析する情報解析部３と、この情報解析結果の情報内容を、様々な形で表示する情報表示部４も持っている。更に、利用者からカーソルキー（上、下、左、右の方向の指定を行う）の位置選択、決定キーなどの入力を受け付ける情報操作部５とメモリ１１も持っている。
【００１０】
次に図２は、携帯情報端末１が行う画面表示、特にスクロールバーの表示制御を含む動作フローを示す図である。以下、その動作を図２により説明する。
携帯情報端末１は、情報受信部２によりインターネット上からＷｅｂコンテンツを取得する。ここでは、フレーム情報として図２３に示したフレーム情報を受信した場合について説明する。情報受信部２により取得されたコンテンツは情報解析部３により解析される。即ち図２のステップ（以下、ステップの記述を省略する）Ｓ１１において、まず情報解析部３はフレーム情報の有無、構成を解析する。Ｓ１２において、複数のフレームがページ内に含まれる場合は、Ｓ１３において情報受信部２にフレーム内ページ情報を受信するよう依頼し、フレーム内ページ情報を取得する。Ｓ１４において情報解析部３はフレーム内ページ情報を解析する。また、Ｓ１５で情報解析部３は、フレーム内ページ情報を表示するためにどの程度の領域が必要かを解析し、表示情報を生成する。
【００１１】
画面が小さい場合、一画面に表示されるページを複数のフレームに分割して表示すると、各フレームに与えられる領域はフレーム内の情報を表示するためには小さすぎる場合が多いため、表示情報全体の中でフレームにより囲まれて表示された情報以外に未表示部分があることを表すスクロールバーを表示する。最初にページを表示する場合は、先頭のフレームが選択されている状態であるが、ユーザが選択している場合は、その選択されたフレーム領域がアクティブであるとして決定される。即ち図２で、Ｓ１０ａとＳ１０ｂで挟まれるループがフレーム数だけ繰り返し情報が取得され、必要なフレームの部分がＳ１５で選択される。これは通常のカーソル操作で領域が選択される。
図３は、その表示例を示す図であり、上部、下部左、下部右の３つに区切られたフレーム内の表示情報が同時表示されており、上部フレームが選択された領域で太線枠によりアクティブフレームであることを示している。
情報表示部４は、この選択されているフレームについて、その表示内容が、メモリ１１に記憶されている表示情報を全ては表示しきれていない場合、そのフレームの外側にスクロールバーを表示する。つまり図２のＳ１７で情報表示部４は、アクティブなフレームの表示領域を邪魔しないように、アクティブなフレームの外側の未選択領域にスクロールバーを表示するよう表示制御する。Ｓ１８で情報表示部４は、表示されるべき各フレーム内の情報を画面表示制御する。
【００１２】
図３において、情報操作部５により、一番上のフレームが選択されてアクティブとなっており、太線枠で選択されていることを表現している。そしてこのフレーム内の情報は、この小さなフレームでは縦方向、横方向の両方向に表示しきれていない状況である。各スクロールバーは、右側と下側のフレーム外に表示されている。こうすることで、少なくともアクティブフレーム内の表示情報がスクロールバー表示で見えなくなる不具合は軽減できる。
【００１３】
図２におけるＳ１７のスクロールバーの表示制御において、図３に示すようなアクティブフレームの直ぐ外側にスクロールバーを表示することに代えて、ページ画面の最右側（または最左側）と最も下側（または上側）にスクロールバーを表示するように制御してもよい。こうした場合の表示面の例を図４に示す。図において、スクロールバーがアクティブフレームより離れているが、これは表示制御のみであり、スクロールバーをカーソルで動かすと、表示したスクロールバーは選択された太線枠で示されるアクティブなフレームに対するものとして、アクティブフレーム内の情報が動いて表示されることは、図３の場合と同様である。即ち、フレームに対するスクロールバーがフレームの外側に表示されるために、利用者の入力により情報操作部５が選択しているフレームの表示領域を妨げることなく、フレーム内の表示情報の閲覧が可能になる効果がある。
【００１４】
実施の形態２．
上記で説明したように、アクティブなフレーム内の情報を出来る限り多く、大きく表示することが大切である。ここでは、付随して必要になるスクロールバーの表示領域の制御を、ページ全体の表示の中で適切に選択する装置を説明する。
図５は、本実施の形態におけるウエブ閲覧装置の構成を示す図である。本実施の形態の装置は、図１の構成に加えて、情報解析部３による解析処理の後に、スクロールバー表示位置を判定するための表示領域判定部６を備えている。先の実施の形態では、単にアクティブフレームの外側とのみ説明した。ここではスクロールバーの表示位置として、上下、左右のどちらが良いかを表示領域判定部６が判定して選択する。
【００１５】
ウエブ閲覧装置、特に表示領域判定部６を中心とする動作を図６に示すフロー図を用いて動作を説明する。特記しなかったステップについては、図２の動作を行う。
図６のＳ２０において表示領域判定部６は、現在選択中のフレームを判定する。Ｓ２１で表示領域判定部６は、そのフレームが全ての表示対象を表示しているかどうかを判定し、メモリ１１に記憶されている表示情報を全ては表示できていない場合は、Ｓ２１ないしＳ２６で、スクロールバーを表示するための位置決定の判定処理を行う。全体が表示されている場合はスクロールバーの表示は行わない。縦方向に表示しきれていない場合は、縦のスクロールバーを表示する必要があるため、Ｓ２３において、当該フレームの左右に空き領域が無いか判断する。
【００１６】
空き領域の判断は、表示画面の構成にもよるが、複数のフレームからなるページ全体を画面に表示していて、かつ選択されていないフレームが存在していた場合に、その領域を空き領域とする。図７はその例を示す図であり、下右のアクティブフレームに対して、下左のフレームと上のフレームがアクティブではない。なお、この例では、アクティブフレーム内において、情報は左右方向には画面の表示幅に合わせて表示し、続きを下の行に表示する表示形式を採用するものとする。つまり、アクティブフレーム内の左右方向には隠れている情報は無い。
従ってこの状態では、Ｓ２３で表示領域判定部６は、左右方向では下左にアクティブでないフレームがあることを検出し、Ｓ２４で空いている左側にスクロールバーを表示要求する。この要求に基づいて、後のＳ１８では、図７に示されるスクロールバーの表示制御が行われる。太線枠で囲まれている下右の部分が選択されているアクティブフレームで、例では、縦方向に表示しきれていない場合を示している。選択フレームの左側が選択されていないフレームであるため、左側にスクロールバーを表示している。
左右に空き領域が無い場合は、フレーム内の右側に表示する。なお、空き領域が無い場合のスクロールバー位置についてはウィンドウシステムなど、システムの設定によって変化する可能性がある。
なお上下方向についても同様の処理を行うが、アクティブフレーム内の表示情報が画面表示より横方向に長い領域にもある場合には、スクロールバーが必要になる。その場合に左右方向をスクロールするスクロールバーは、上のフレーム側に表示要求が出て、そこに表示がされる。即ち、フレームに対するスクロールバーがフレームの外側かつ選択されていないフレーム上に表示されるために、利用者が選択しているフレームの表示領域を妨げることなく、フレーム内情報の閲覧が可能になる効果がある。
【００１７】
実施の形態３．
アクティブなフレーム内の情報を出来る限り多く、大きく表示するための他の工夫を説明する。即ちスクロールバーの表示を出来る限り小さくする装置を説明する。
本実施の形態における装置構成は、実施の形態１、図１と変わらない。しかし情報表示部４が表示制御するスクロールバーの形を図８（ａ）に示すような、両端が三角形と矩形とを組合わせた形とする。
スクロールバーを両端のみの表示とするので、例えスクロールバーの表示がアクティブフレーム内にあっても、その中央部分がアクティブフレーム内の情報を隠さず、情報の画面表示が有効に行える効果がある。即ち、上記実施の形態１と２におけるスクロールバー表示制御が複数フレームの同時表示時に有効であるのに対し、本実施の形態のスクロールバー表示制御はフレームをひとつだけ画面表示する場合にも有効である。
またこうすれば、操作者は直感的にスクロール方向が判断でき、その方向の矢印（三角形の方向）をカーソルで動かすことにより、スクロールが出来る。
スクロールが出来なくなった状態、つまりフレームの端に到達したことを情報表示部４が示すには、図８（ｂ）に示すように、三角形の形が矩形または逆方向の三角形に変わるように表示制御すればよい。或いはスクロールバーの色が変るようにしてもよいし、点滅するようにしてもよい。
【００１８】
スクロールバーの表示を小さくする他の装置を説明する。
構成も動作も上記と同じで図１と図２の対応するそれと同様であるが、スクロールバーの表示を図９（ａ）に示すような、両端が三角形で両端を結ぶ中央の線を細くした形とする。
こうしてもスクロールバーの幅が中央部で表示が狭くなっているので、例えスクロールバーの表示がアクティブフレーム内にあっても、その中央部分がアクティブフレーム内の情報を隠す割合が少なく、情報の画面表示が有効に行える効果がある。
フレームの端に達してスクロールが出来なくなった状態を示すには、図９（ｂ）に示すように、矢印の形を逆方向にする、矩形に変える、スクロールバーの色が変える、または点滅する等のようにすればよい。
【００１９】
スクロールバーの表示を心理的に小さくする他の装置を説明する。
構成も動作も上記と同じで図１と図２の対応するそれと同様であるが、スクロールバーの表示を図１０においてＡで示すように、半透明とする。
このようにしても、少し見やすさは劣るが、上記と同様に情報を隠す割合が少なく、情報の画面表示が有効に行える効果がある。
【００２０】
スクロールバーの表示を半透明にすることに代えて、スクロールバーの表示とスクロールバーを表示しない状態とを交互に繰り返すようにしてもよい。つまりスクロールバーを点滅表示するように表示制御してもよい。
このようにしても、表示しない時にスクロールバーの下面にある画面情報が読み取れるので、半透明表示と同様の効果がある。
以上、本実施の形態における、いずれのスクロールバー表示制御を用いても、画面一杯にひとつのフレームだけが表示されるケースにも適用して有効である。
即ち、スクロールバーの表示があるとしても、利用者が表示領域をスクロールバー表示により妨げられる割合が少なく、ページ情報の有効閲覧が可能になる効果がある。
【００２１】
実施の形態４．
アクティブなページ内の情報を出来る限り多く、大きく表示するための他の工夫を説明する。即ちスクロールバーの表示を必要な場合にのみ行う装置を説明する。
図１１は、本実施の形態におけるウエブ閲覧装置の構成を示す図である。図において、実施の形態２、図５の構成に加えて新規な要素として、情報操作部５から得た操作情報と表示状態からアクティブなフレームに対してスクロール処理を行う状態かどうかを判定するスクロール状態判定部７を備えている。
【００２２】
本装置の動作であるが、図２のＳ１７において、情報表示部４がスクロールバーを表示制御する際に、スクロール状態判定部７が更に表示の可否を指示する。即ちスクロール状態判定部７は、選択されているアクティブフレームについて、スクロールバーの表示が必要な場合、ユーザ操作によりスクロールを開始する状態かどうかを判定する。例えば、ユーザが、上下左右キーなどを入力操作して、情報操作部５経由の操作信号によりスクロールに対する要求が出ていると検出した場合は、情報表示部４に対し、スクロールバーを表示する許可を与える。情報表示部４は、スクロール状態判定部７からの指示により、スクロール状態にあることが判り、その場合にのみスクロールバーを表示する。逆にユーザがスクロールについては何も操作していない状態では、スクロールバーは表示制御しない。
この動作によれば、例えば図７等の画面において、スクロールしない場合は、下左のフレームにもスクロールバーが表示されず、画面の全てが必要な情報の表示に充てることが出来る。そしてスクロールする場合には、ユーザは画面が動くことを覚悟するので、有効画面が少し減っても心理的に我慢が出来る。スクロールを止めて静止すると、画面からスクロールバーの表示が消えて、再び画面が有効利用できる。これは実施の形態３の表示制御を同様に、画面が単独のフレームを表示している場合にも適用して有効である。
【００２３】
アクティブなページ内の情報を出来る限り多く、大きく表示する、即ちスクロールバーの表示を必要な場合にのみ行う他の装置を説明する。
図１２は、本実施の形態における他のウエブ閲覧装置の構成を示す図である。図において、実施の形態２、図５の構成に加えて携帯情報端末１は新規な要素として、情報操作部５から得た操作情報と表示状態から、ポインタ（カーソル）が示す位置にスクロールバーを出すかどうか判定するポインタ位置判定部８を備えている。
【００２４】
本装置の動作であるが、図２のＳ１７において、通常はスクロールバーを表示しない。
しかしユーザ操作により、画面上にポインタ（カーソル）が表示されて、それをユーザが画面上で移動操作すると、この移動操作信号が情報操作部５により、ポインタ位置判定部８に送られる。ポインタ位置判定部８は、ポインタ位置が、フレームの外枠に近づいたかどうかを判定し、一定距離内に入った場合は、情報表示部４にスクロールバー表示許可を通知する。
この動作による画面表示例を図１３に示す。この図はポインタを枠に近づけた場合にのみスクロールバーが現れ、スクロールバーを利用したスクロール操作が可能になることを示している。逆にポインタを太線枠に近づけない場合は、ポインタ位置判定部８が情報表示部４にスクロールバー表示許可を与えないので、スクロールバーは表示されない。即ち、スクロールしている場合以外は、利用者が見ている表示領域をスクロールバーが妨げず、有効な閲覧が可能になる効果がある。この制御も、画面が単独のフレームを表示している場合に適用可能である。
【００２５】
実施の形態５．
アクティブなフレーム内の情報を出来る限り多く、大きく表示するための他の工夫を説明する。即ち常にスクロールバーを表示せず、しかも実質的にスクロールが出来るウエブ閲覧装置を説明する。
図１４は、本実施の形態におけるウエブ閲覧装置の構成を示す図であるが、図１に示す構成と同様であり、情報表示部４ｂの機能のみが異なる。この機能の詳細を以下に説明する。
図１５はアクティブフレームにおいて、スクロール余地があることを表示色で表現する原理を説明する図である。
【００２６】
先ず、このスクロール余地を示すカーソル相当であるが、図１５（ａ）はアクティブフレーム内にある全体の情報領域Ｙ１と、実画面で表示できる情報領域Ｙ３と、表示出来ない上部にある情報領域ＹＵと同じく表示出来ない下部にある情報領域ＹＤとの各関係を示している。
図１５（ｂ）は例えばカーソルを操作して、現在表示している領域を示している。
図１５（ｃ）は、図１５（ｂ）の表示範囲の中で、更に薄い半透明表示色（背景色）を付加する領域を示している。即ち背景色が表示される範囲ｙｅは、画面縦長さをｙｔとした場合、ｙｅ＝ｙｔ・Ｙ３／Ｙ１となるように情報表示部４ｂが制御する。更に背景色が表示されない画面の上部範囲であるｙｃｕとして、ｙｃｕ＝ｙｔ・ＹＵ／Ｙ１となるように情報表示部４ｂが制御する。つまり、スクロールバーを表示する代わりに、背景色を表示する。
【００２７】
例えば背景色の下辺を下方に押し下げる操作をユーザが行った場合の情報表示部４ｂの動作を説明する。
上記操作が行われると、情報操作部５がその信号を検出し、情報表示部４ｂに伝える。その信号に基づいて情報表示部４ｂは、図１５（ｃ）の背景色を下方に移し、ＹＤの情報を背景色無しで表示する。もちろん、画面表示されていたｙｃｕの元の表示は消えて、元のｙｅ画面における最上部行の背景色を消す制御も行う。背景色下辺を押し下げる信号が続けは、更に同様の表示変更が行われる。背景色表示領域がスクロールにより変わる場合、上部の無背景色範囲であるｙｃｕが変化するので、フレーム内での背景色が指定される部分も変わっていくことになる。こように制御すれば、スクロール余地がどれくらいあるか、背景色無しの表示幅からユーザが推測できる効果があり、ユーザに判りやすい。
【００２８】
図１５では縦方向でスクロール余地がある場合を示している。横方向にスクロール余地がある場合も、図１５の説明から容易に判るように、同様に背景色制御を行なう。
上記制御に代えて、情報表示部４ｂは、単にスクロール余地がある場合、その余地がある部分の一行分のみを背景色無しで表示するようにしてもよい。この場合の表示画面例を図１６に示す。
上記では、中央部に背景色を付ける制御方法を説明したが、これを逆にして、上下の部分のみに背景色を付け、中央部には背景色を付けないようにしてもよい。
いずれにしても、本実施の形態によれば、スクロールバーを直接表示することなく、それ相当の背景色を付加することで、有効表示画面を広くする効果がある。
更に、中央部の表示情報に比べて、上下の部分に表示する情報に表示文字を小さくするようにしてもよい。即ち図１７に情報表示部４ｂが行う動作を示すフローにより、Ｓ５１で中央部のｙｅでは文字を大きなままとし、Ｓ５２で背景色を付けない部分の表示を縮小する。図１８はそうした制御による画面例を示す図である。
このようにすれば、中央部の表示領域が更に広くとれて有効表示画面を更に広くする効果がある。
上記情報表示制御は、画面に一つのフレームのみが表示される場合にも適用して有効である。即ち、表示領域と全体領域の関係がフレーム内の背景色として表示されるため、スクロールバーが不要になり、利用者が表示領域を妨げられることなくページ情報の閲覧が可能になる効果がある。
【００２９】
実施の形態６．
ページを複数のフレームで分割して表示する場合、アクティブフレームを拡大してその中の表示情報量を多くする制御について説明する。
本実施の形態における情報表示部４ｃの動作を図１９に示す。それ以外の動作は図２等と同様である。つまり、本実施の形態における情報表示部４ｃの制御の主旨は、マウス相当の押下ドラッグでドラッグ方向にアクティブ枠を広げることである。
マウス相当としては、特定のファンクション・キーを押下しながらポインタを所望方向に動かすことを意味する。
【００３０】
図１９において、情報表示部４ｃはＳ６１で情報操作部５が検出したポインタの動きの方向信号を受け取る。同時にＳ６２で同じく情報操作部５が特定のファンクション・キー押下信号を検出しているかを調べる。もし同時操作であればＳ６３で、情報表示部４ｃがアクティブフレームの枠をその方向に拡大制御する。その後Ｓ１７で、拡大したフレームに対して情報表示部４ｃがスクロールバー表示を行うが、その際のスクロールバーとして、実施の形態１ないし５の、いずれのスクロールバーも使用できる。
図２０（ａ）はフレーム枠拡大前の状態を表し、ポインタで左方向に動かすと同時に、マウス相当のキー押下を行った結果、図２０（ｂ）の状態になることを示している。
この際に、図２１に示すように、アクティブフレーム以外のフレームにある情報を概略表示としてもよい。つまり複数のフレームが表示されていることが判る程度の表示制御とする。
このように、本実施の形態のウエブ閲覧装置によれば、選択されたフレームの表示領域を容易に広くでき、利用者が見たいフレームの情報の閲覧が容易になる効果がある。即ち、選択されたフレームの表示領域を広くして、利用者が見たいフレームの情報の閲覧が容易になる効果がある。
【００３１】
実施の形態７．
一つのページに複数のフレームを同時表示させた場合に、主情報表示を行うアクティブフレームを切換て選択したい場合がある。こうした場合の選択を早く容易に行う装置、方法を説明する。
本実施の形態では、例えば携帯電話のように、１〜９や＃、＊といったテンキーを持った情報端末において、フレームの選択を簡易に行うことができる。即ち情報解析部３により、ページを構成するフレームが決定されると、情報表示部４ｄはその数に従って各フレームに番号をつけ、表示を行う際に、その番号を重畳表示する。図２２にその表示例を示す。画面上に３つのフレームが表示され、○１から○３の番号も合わせて表示している。
利用者は、情報端末にある数字キーを入力する事で、操作対象とするフレームを選択する。フレームが選択された後のスクロール表示については、上記各実施の形態に示したスクロールバー表示装置、方法と同様である。
以上のように、数字キーなどの入力手段を持った携帯端末であれば、選択すべきフレームが数字などの記号で示され、ワンキー操作で選択できるので、容易にフレームの選択が可能になる効果がある。
【００３２】
上記ではフレーム選択を例えば数字キーで選択する場合を説明したが、スクロールバーの表示制御として複数のケース（手段）、方法を記憶しておき、それらを数字キーで選択することも有効画面を広くするために効果がある。即ちスクロールバーを常時は表示しないケース、小さな両端のみの表示を行うケースを用意し、それを数字キーで選択するようにしてもよい。
【００３３】
上記各実施の形態では、携帯情報端末１の構成要素である情報受信部２等はハードウェアであるとして説明した。特に情報表示部は、図１のメモリ１１の特定領域にソフトウェアのプログラムを記載したファームウェアを搭載して、これを図１に示す共通のマイクロプロセッサ１０で読みとって実行し、図２等に記載の機能を持たせる構成が普通である。
しかし汎用の計算機を使用して、図１に示す情報表示部等の各構成要素を、図２等で示す機能を持たせたプログラムで記述して、プロセッサで実行させる方法としてもよく、上記に記載の各効果が得られる。
【図面の簡単な説明】
【００３４】
【図１】この発明の実施の形態１におけるウエブ閲覧装置の基本構成を示す図である。
【図２】実施の形態１におけるスクロールバーの表示制御を含むウエブ閲覧装置の動作フローを示す図である。
【図３】実施の形態１におけるウエブ閲覧装置の画面表示例を示す図である。
【図４】実施の形態１における他のウエブ閲覧装置の画面表示例を示す図である。
【図５】この発明の実施の形態２におけるウエブ閲覧装置の基本構成を示す図である。
【図６】実施の形態２における表示領域判定部を中心とする動作フローを示す図である。
【図７】実施の形態２におけるウエブ閲覧装置の画面表示例を示す図である。
【図８】この発明の実施の形態３におけるウエブ閲覧装置の画面表示例を示す図である。
【図９】実施の形態３における他のウエブ閲覧装置の画面表示例を示す図である。
【図１０】実施の形態３における他のウエブ閲覧装置の画面表示例を示す図である。
【図１１】この発明の実施の形態４におけるウエブ閲覧装置の基本構成を示す図である。
【図１２】実施の形態４における他のウエブ閲覧装置の基本構成を示す図である。
【図１３】実施の形態４におけるウエブ閲覧装置の画面表示例を示す図である。
【図１４】この発明の実施の形態５におけるウエブ閲覧装置の基本構成を示す図である。
【図１５】実施の形態５におけるスクロール余地があることを表示色で表現する原理を説明する図である。
【図１６】実施の形態５における他のウエブ閲覧装置の画面表示例を示す図である。
【図１７】実施の形態５における他の情報表示部の動作フローを示す図である。
【図１８】実施の形態５における他のウエブ閲覧装置の画面表示例を示す図である。
【図１９】この発明の実施の形態６における情報表示部の動作フローを示す図である。
【図２０】実施の形態６におけるウエブ閲覧装置の画面表示例を示す図である。
【図２１】実施の形態６における他のウエブ閲覧装置の画面表示例を示す図である。
【図２２】この発明の実施の形態７におけるウエブ閲覧装置の画面表示例を示す図である。
【図２３】フレームを持つコンテンツの記述例と表示例を示す説明図である。
【図２４】従来のウエブ・ブラウザでのフレーム表示例を示す図である。
【符号の説明】
【００３５】
１  携帯情報端末、２  情報受信部、３  情報解析部、４，４ｂ，４ｃ  情報表示部、５  情報操作部、６  表示領域判定部、７  スクロール状態判定部、８  ポインタ位置判定部、１０  マイクロプロセッサ、１１  メモリ、Ｓ１７  アクティブフレームの外側にスクロールバーを表示制御ステップ、Ｓ１８  アクティブフレームの識別表示を含むページ情報表示制御ステップ、Ｓ２３  左右の空き領域判定ステップ、Ｓ２４  空き領域側にスクロールバー表示要求するステップ、Ｓ２６  上下の空き領域判定ステップ、Ｓ２６  空き領域側にスクロールバー表示要求するステップ。
【図１】
0004713270.tif 000002
【図２】
0004713270.tif 000003
【図３】
0004713270.tif 000004
【図４】
0004713270.tif 000005
【図５】
0004713270.tif 000006
【図６】
0004713270.tif 000007
【図７】
0004713270.tif 000008
【図８】
0004713270.tif 000009
【図９】
0004713270.tif 000010
【図１０】
0004713270.tif 000011
【図１１】
0004713270.tif 000012
【図１２】
0004713270.tif 000013
【図１３】
0004713270.tif 000014
【図１４】
0004713270.tif 000015
【図１５】
0004713270.tif 000016
【図１６】
0004713270.tif 000017
【図１７】
0004713270.tif 000018
【図１８】
0004713270.tif 000019
【図１９】
0004713270.tif 000020
【図２０】
0004713270.tif 000021
【図２１】
0004713270.tif 000022
【図２２】
0004713270.tif 000023
【図２３】
0004713270.tif 000024
【図２４】
0004713270.tif 000025